(57)【要約】【課題】地上波デジタル放送の番組を受信して記録するためのデジタル放送受信・記録装置であって、デジタルテレビ放送の番組録画を行う際に、データ放送において番組関連ＵＲＬが含まれている場合には、そのホームページ情報も取得して共に記録すること。【解決手段】放送番組を録画する際には、デジタル放送受信部１８により受信されたデジタル放送番組の画像・音声データを画像処理部１９から取得してメモリ１２内の画像・音声データメモリに記録するのに伴い、データ放送に含まれるＵＲＬに従ってネットワーク処理部１３から番組関連Ｗｅｂサイトへアクセスしてホームページデータを取得し同メモリ１２内のＷｅｂデータメモリに記録するので、放送番組を録画した後に、当該番組関連のホームページが無くなってしまったり、その内容が変わってしまったりした場合でも、録画時点の放送番組に直に対応したホームページデータを確実に記録し再生表示できる。【選択図】      図１
2006135428.tif 000002
【特許請求の範囲】
【請求項１】
デジタル放送を受信する放送受信手段と、
この放送受信手段により受信された放送信号から画像・音声信号を取り出しその画像・音声データを記録する画像・音声データ記録手段と、
この画像・音声データ記録手段による画像・音声データの記録と共に同放送信号からデータ放送信号を取り出しＵＲＬ情報が含まれているか否かを判断するＵＲＬ判断手段と、
このＵＲＬ判断手段によりデータ放送信号にＵＲＬ情報が含まれていると判断された場合には、当該ＵＲＬ情報に対応したＷｅｂサーバにアクセスしそのＷｅｂページ情報を取得するＷｅｂ情報取得手段と、
このＷｅｂ情報取得手段により取得されたＷｅｂページ情報を記録するＷｅｂ情報記録手段と、
を備えたことを特徴とするデジタル放送受信・記録装置。
【請求項２】
前記Ｗｅｂ情報取得手段により取得されたＨＴＭＬデータ形式のＷｅｂページ情報をＢＭＬデータ形式に変換するデータ変換手段をさらに備え、
前記Ｗｅｂ情報記録手段は、前記データ変換手段により取得されたＢＭＬデータ形式に変換されたＷｅｂページ情報を記録することを特徴とする請求項１に記載のデジタル放送受信・記録装置。
【請求項３】
前記ＵＲＬ判断手段は、前記画像・音声データ記録手段による画像・音声データの記録と共に同放送信号からデータ放送信号を取り出しその内容を記録するデータ放送記録手段を有し、このデータ放送記録手段により記録されたデータ放送信号の内容にＵＲＬ情報が含まれているか否かを判断するＵＲＬ判断手段であり、
前記画像・音声データ記録手段により記録された画像・音声データを再生する画像・音声再生手段と、
この画像・音声再生手段による画像・音声データの再生に伴い、前記データ放送記録手段により記録されたデータ放送信号の内容を再生するデータ放送再生手段と、
このデータ放送再生手段により再生されるデータ放送の内容に含まれるＵＲＬ情報がユーザ操作に応じて指定された場合に、前記Ｗｅｂ情報記録手段により記録されたＷｅｂページ情報を再生するＷｅｂ情報再生手段と、
をさらに備えたことを特徴とする請求項１または請求項２に記載のデジタル放送受信・記録装置。
【請求項４】
前記画像・音声データ記録手段により記録された画像・音声データを、その画像データについては画像サイズを携帯端末での表示用に変換して記録する携帯用画像・音声データ記録手段と、
前記Ｗｅｂ情報記録手段により記録されたＷｅｂページ情報を、その画像サイズを携帯端末での表示用に変換して記録する携帯用Ｗｅｂ情報記録手段と、
をさらに備えたことを特徴とする請求項１に記載のデジタル放送受信・記録装置。
【請求項５】
ユーザ操作に応じて、放送番組の録画をその録画形式を指定して予約する録画予約手段をさらに備え、
前記画像・音声データ記録手段は、前記録画予約手段により録画予約された放送番組について前記放送受信手段により受信された放送信号から画像・音声信号を取り出しその画像・音声データを記録し、
前記携帯用画像・音声データ記録手段は、前記録画予約手段により録画形式を指定して録画予約された放送番組について前記画像・音声データ記録手段により記録された画像・音声データを、その画像データについては画像サイズを携帯端末での表示用に変換して記録し、
前記携帯用Ｗｅｂ情報記録手段は、前記録画予約手段により録画形式を指定して録画予約された放送番組について前記Ｗｅｂ情報記録手段により記録されたＷｅｂページ情報を、その画像サイズを携帯端末での表示用に変換して記録する、
ことを特徴とする請求項４に記載のデジタル放送受信・記録装置。
【請求項６】
デジタル放送受信・記録装置のコンピュータを制御するための受信・記録制御プログラムであって、
前記コンピュータを、
デジタル放送を受信する放送受信手段により受信された放送信号から画像・音声信号を取り出しその画像・音声データをメモリに記録する画像・音声データ記録手段、
この画像・音声データ記録手段による画像・音声データの記録と共に同放送信号からデータ放送信号を取り出しＵＲＬ情報が含まれているか否かを判断するＵＲＬ判断手段、
このＵＲＬ判断手段によりデータ放送信号にＵＲＬ情報が含まれていると判断された場合には、当該ＵＲＬ情報に対応したＷｅｂサーバにアクセスしそのＷｅｂページ情報を取得するＷｅｂ情報取得手段、
このＷｅｂ情報取得手段により取得されたＷｅｂページ情報をメモリに記録するＷｅｂ情報記録手段、
として機能させるようにしたコンピュータ読み込み可能なデジタル放送受信・記録制御プログラム。
【発明の詳細な説明】
【技術分野】
【０００１】
本発明は、地上波デジタル放送の番組を受信して記録するためのデジタル放送受信・記録装置およびその受信・記録制御プログラムに関する。
【背景技術】
【０００２】
近年、Ｗｅｂサイト上のホームページによる情報提供が一般化したことにより、例えばテレビ番組においてその番組の詳細な情報を記載したホームページのＵＲＬ(Uniform Resource Locators)を字幕スーパなどで紹介することが行われている。
【０００３】
また最近実用化になった地上波デジタルテレビ放送による放送信号には、テレビ番組の画像・音声の放送信号と共に文字などによるデータ放送信号も含まれ、デジタルテレビ受信機では、受信したテレビ番組の画像表示・音声出力と共に、データ放送による当該番組関連文字情報の表示や番組予定表の表示が行えるようになっている。
【０００４】
そして、地上波デジタルテレビ放送のデータ放送信号に含まれる番組関連文字情報には、前述のホームページＵＲＬが記述されるケースが多く、インターネットとの通信機能を備えたデジタルテレビ受信機では、受信中のデジタル放送データに記述されているＵＲＬを抽出すると共に、ブラウザによって対応するＷｅｂサイトへアクセスしそのホームページを取得して表示する機能を搭載したものも考えられている（例えば、特許文献１参照。）。
【特許文献１】特開２００３−２１９３７４号公報
【発明の開示】
【発明が解決しようとする課題】
【０００５】
一方、最近はＨＤＤ（ハードディスク）を備えたビデオレコーダが実用化され、例えば５００時間もの録画が行える大容量のビデオレコーダもあり、この大容量のメモリを如何に有効利用して付加価値の高いビデオレコーダとするか、新たな機能の開発が求められている。
【０００６】
本発明は、このような課題に鑑みなされたもので、デジタルテレビ放送の番組録画を行う際に、データ放送において番組関連ＵＲＬが含まれている場合には、そのホームページ情報も取得して共に記録することが可能になるデジタル放送受信・記録装置およびその受信・記録制御プログラムを提供することを目的とする。
【課題を解決するための手段】
【０００７】
本発明の請求項１に記載のデジタル放送受信・記録装置は、デジタル放送を受信する放送受信手段と、この放送受信手段により受信された放送信号から画像・音声信号を取り出しその画像・音声データを記録する画像・音声データ記録手段と、この画像・音声データ記録手段による画像・音声データの記録と共に同放送信号からデータ放送信号を取り出しＵＲＬ情報が含まれているか否かを判断するＵＲＬ判断手段と、このＵＲＬ判断手段によりデータ放送信号にＵＲＬ情報が含まれていると判断された場合には、当該ＵＲＬ情報に対応したＷｅｂサーバにアクセスしそのＷｅｂページ情報を取得するＷｅｂ情報取得手段と、このＷｅｂ情報取得手段により取得されたＷｅｂページ情報を記録するＷｅｂ情報記録手段とを備えたことを特徴とする。
【０００８】
本発明の請求項２に記載のデジタル放送受信・記録装置は、前記請求項１に記載のデジタル放送受信・記録装置において、前記Ｗｅｂ情報取得手段により取得されたＨＴＭＬデータ形式のＷｅｂページ情報をＢＭＬデータ形式に変換するデータ変換手段をさらに備え、前記Ｗｅｂ情報記録手段は、前記データ変換手段により取得されたＢＭＬデータ形式に変換されたＷｅｂページ情報を記録することを特徴とする。
【０００９】
本発明の請求項３に記載のデジタル放送受信・記録装置は、前記請求項１または請求項２に記載のデジタル放送受信・記録装置において、前記ＵＲＬ判断手段は、前記画像・音声データ記録手段による画像・音声データの記録と共に同放送信号からデータ放送信号を取り出しその内容を記録するデータ放送記録手段を有し、このデータ放送記録手段により記録されたデータ放送信号の内容にＵＲＬ情報が含まれているか否かを判断するＵＲＬ判断手段であり、前記画像・音声データ記録手段により記録された画像・音声データを再生する画像・音声再生手段と、この画像・音声再生手段による画像・音声データの再生に伴い、前記データ放送記録手段により記録されたデータ放送信号の内容を再生するデータ放送再生手段と、このデータ放送再生手段により再生されるデータ放送の内容に含まれるＵＲＬ情報がユーザ操作に応じて指定された場合に、前記Ｗｅｂ情報記録手段により記録されたＷｅｂページ情報を再生するＷｅｂ情報再生手段とをさらに備えたことを特徴とする。
【００１０】
本発明の請求項４に記載のデジタル放送受信・記録装置は、前記請求項１に記載のデジタル放送受信・記録装置において、前記画像・音声データ記録手段により記録された画像・音声データを、その画像データについては画像サイズを携帯端末での表示用に変換して記録する携帯用画像・音声データ記録手段と、前記Ｗｅｂ情報記録手段により記録されたＷｅｂページ情報を、その画像サイズを携帯端末での表示用に変換して記録する携帯用Ｗｅｂ情報記録手段とをさらに備えたことを特徴とする。
【００１１】
本発明の請求項５に記載のデジタル放送受信・記録装置は、前記請求項４に記載のデジタル放送受信・記録装置において、ユーザ操作に応じて、放送番組の録画をその録画形式を指定して予約する録画予約手段をさらに備え、前記画像・音声データ記録手段は、前記録画予約手段により録画予約された放送番組について前記放送受信手段により受信された放送信号から画像・音声信号を取り出しその画像・音声データを記録し、前記携帯用画像・音声データ記録手段は、前記録画予約手段により録画形式を指定して録画予約された放送番組について前記画像・音声データ記録手段により記録された画像・音声データを、その画像データについては画像サイズを携帯端末での表示用に変換して記録し、前記携帯用Ｗｅｂ情報記録手段は、前記録画予約手段により録画形式を指定して録画予約された放送番組について前記Ｗｅｂ情報記録手段により記録されたＷｅｂページ情報を、その画像サイズを携帯端末での表示用に変換して記録することを特徴とする。
【発明の効果】
【００１２】
本発明の請求項１（請求項６）に記載のデジタル放送受信・記録装置（デジタル放送受信・記録制御プログラム）によれば、デジタル放送番組の記録（録画）に伴いそのデータ放送に含まれるＵＲＬ情報に対応したＷｅｂページ情報が取得されて記録されるので、放送番組を録画した後に、当該番組関連のホームページが無くなってしまったり、その内容が変わってしまったりした場合でも、録画時点の放送番組に対応したホームページデータを確実に記録し保存しておくことができる。
【００１３】
本発明の請求項２に記載のデジタル放送受信・記録装置によれば、前記請求項１に記載のデジタル放送受信・記録装置において、デジタル放送番組の記録（録画）に伴いそのデータ放送に含まれるＵＲＬ情報に従って取得記録されるＷｅｂページ情報は、ＨＴＭＬデータ形式からＢＭＬデータ形式へと変換されて記録されるので、ＨＴＭＬブラウザソフトを搭載する必要なく、デジタルテレビ受信機が本来有するデジタルデータ放送表示用のＢＭＬブラウザソフトのみにより番組関連ホームページを表示でき、リソースの節約が可能になる。
【００１４】
本発明の請求項３に記載のデジタル放送受信・記録装置によれば、前記請求項１または請求項２に記載のデジタル放送受信・記録装置において、デジタル放送番組の画像・音声データの記録（録画）と共にデータ放送信号の内容も記録され、この記録された放送番組の画像・音声データの再生に伴いデータ放送信号の内容も再生される。そして、再生されるデータ放送の内容に含まれるＵＲＬ情報がユーザ操作に応じて指定された場合には、このＵＲＬ情報に対応して記録されているＷｅｂページ情報が読み出されて再生されるので、録画再生した放送番組のホームページが消滅あるいは内容変更されていても、録画時の放送番組に正しく対応したホームページを再生できる。
【００１５】
本発明の請求項４に記載のデジタル放送受信・記録装置によれば、前記請求項１に記載のデジタル放送受信・記録装置において、画像・音声データ記録手段により記録された画像・音声データを、その画像データについては画像サイズを携帯端末での表示用に変換して記録し、Ｗｅｂ情報記録手段により記録されたＷｅｂページ情報を、その画像サイズを携帯端末での表示用に変換して記録するので、記録（録画）したデジタル放送番組の画像・音声データとＷｅｂページデータとも、例えば携帯電話の小型表示画面にて適切に再生表示させることができる。
【００１６】
本発明の請求項５に記載のデジタル放送受信・記録装置によれば、前記請求項４に記載のデジタル放送受信・記録装置において、録画予約手段により録画形式を指定して録画予約された放送番組について画像・音声データ記録手段により記録（予約録画）された画像・音声データが、その画像データについては画像サイズが携帯端末での表示用に変換されて記録され、また同録画予約手段により録画形式を指定して録画予約された放送番組についてＷｅｂ情報記録手段により記録されたＷｅｂページ情報が、その画像サイズが携帯端末での表示用に変換されて記録されるので、例えば予め携帯電話の小型表示画面にて再生表示する放送番組については録画予約での形式指定操作を行うだけで、容易に最適な表示ドットデータに変換させて録画し記録できるようになる。
【００１７】
よって、本発明によれば、デジタルテレビ放送の番組録画を行う際に、データ放送において番組関連ＵＲＬが含まれている場合には、そのホームページ情報も取得して共に記録することが可能になるデジタル放送受信・記録装置およびその受信・記録制御プログラムを提供できる。
【発明を実施するための最良の形態】
【００１８】
以下図面により本発明の実施の形態について説明する。
【００１９】
図１は、本発明の実施形態に係るデジタル放送受信・記録装置１０の電子回路の構成を示すブロック図である。
【００２０】
このデジタル放送受信・記録装置１０は、コンピュータである制御部（ＣＰＵ）１１を備えている。
【００２１】
制御部（ＣＰＵ）１１は、メモリ（ＨＤＤ、ＲＡＭを含む）１２に予め記憶されている装置制御プログラム、あるいはネットワーク処理部１３を介してインターネットＮ上のプログラムサーバ（図示せず）からダウンロードされてメモリ１２にインストールされた装置制御プログラム、あるいはカードＩＦ(Interface)部１４を介してメモリカード（外部記録媒体）１５から読み込まれメモリ１２に記憶された装置制御プログラムに従って回路各部の動作を制御するもので、この装置制御プログラムは、入力部１６におけるユーザ操作に応じた入力信号、ネットワーク処理部１３を介したＷｅｂサーバ（図示せず）からの受信信号、デジタル放送アンテナ１７からデジタル放送受信部１８を介して受信されたデジタル放送信号などに従い起動される。
【００２２】
制御部（ＣＰＵ）１１には、前記メモリ１２、ネットワーク処理部１３、カードＩＦ部１４、入力部１６、デジタル放送受信部１８が接続される他、当該デジタル放送受信部１８において受信されたデジタル放送信号に含まれるデジタル画像信号を復号して画像データに変換し表示部２０に表示させるための画像処理部１９、同受信デジタル放送信号に含まれるデジタル音声信号を復号増幅してアナログ音声信号に変換しスピーカ２２にて出力させるための音声処理部２１が接続される。
【００２３】
図２は、前記デジタル放送受信・記録装置１０のメモリ１２における一部記憶データの内容を示す図である。
【００２４】
メモリ１２には、例えばプログラムメモリ１２Ａ、通常録画メモリ１２Ｂ、携帯用録画メモリ１２Ｃなどの各種記憶データに応じたメモリエリアが設定される。
【００２５】
プログラムメモリ１２Ａには、本デジタル放送受信・記録装置１０の全体の動作制御を行うためのデジタルＴＶ制御プログラム１２a1が記憶されると共に、放送録画に伴う動作制御を行うための録画制御プログラム１２a2、放送番組の録画に伴いインターネットＮ上の番組関連Ｗｅｂサイトから取得されるＷｅｂブラウザ用であるＨＴＭＬ(Hypertext Markup Language)形式のホームページデータをデジタル放送ブラウザ用であるＢＭＬ(Broadcast Markup Language)形式のデータに変換するためのＨＴＭＬ→ＢＭＬ変換プログラム１２a3など、各種の装置制御プログラムが記憶される。
【００２６】
通常録画メモリ１２Ｂには、前記録画制御プログラム１２a2に従って受信・録画されたデジタル放送番組の画像・音声データが記憶される画像・音声データメモリ１２b1、当該番組録画に伴い受信されたデジタル放送信号のうちのデータ放送の内容が記憶されるデータ放送メモリ１２b2、このデータ放送の内容に含まれるＵＲＬに従いＷｅｂアクセスして取得された番組関連情報のＨＴＭＬ形式のホームページデータがＢＭＬ形式に変換されて記憶されるＷｅｂデータ（ＢＭＬ）メモリ１２b3などが用意される。
【００２７】
携帯用録画メモリ１２Ｃには、前記録画制御プログラム１２a2に従って受信・録画されたデジタル放送番組の画像・音声データが携帯電話などの小型情報端末において再生するための画像データに変換されて記憶される携帯用画像・音声データメモリ１２c1、当該番組録画に伴い受信されたデジタル放送信号のうちのデータ放送の内容が同小型情報端末において再生するための画像データに変換されて記憶される携帯用データ放送メモリ１２c2、このデータ放送の内容に含まれるＵＲＬに従いＷｅｂアクセスして取得された番組関連情報のホームページデータが同小型情報端末において再生するための画像データに変換されて記憶される携帯用Ｗｅｂデータメモリ１２c3などが用意される。
【００２８】
図３は、前記デジタル放送受信・記録装置１０によるデジタルテレビ放送の受信およびその利用形態を示す図である。
【００２９】
放送局３１の電波塔３２から発信される地上波デジタルテレビジョン放送の放送信号には、放送番組の画像・音声の信号３３およびデータ放送の信号３４が含まれており、デジタル放送受信・記録装置１０では、この放送番組の画像・音声信号３３およびデータ放送信号３４からなるデジタルテレビ放送信号が受信される。
【００３０】
デジタル放送受信・記録装置１０で受信されるデジタルテレビ放送信号のデータ放送信号３４には、受信番組の関連情報などが含まれ、この番組関連情報にそのＷｅｂページを紹介するＵＲＬが記述されている場合、このデジタル放送受信・記録装置１０は前記番組関連情報のＷｅｂページＵＲＬに従いインターネットＮ上の対応するＷｅｂサーバ３５へアクセスを行いそのホームページデータを取得する。
【００３１】
デジタル放送受信・記録装置１０において取得された受信番組情報のホームページデータは、Ｗｅｂブラウザ用のＨＴＭＬ形式からデジタル放送ブラウザ用のＢＭＬ形式のデータに変換されて記録される。
【００３２】
次に、前記構成のデジタル放送受信・記録装置１０の動作について説明する。
【００３３】
図４は、前記デジタル放送受信・記録装置１０による録画制御処理を示すフローチャートである。
【００３４】
入力部１６におけるキー入力などのユーザ操作に応じて、例えば受信中の放送番組の録画が指示されたと判断されるか、または予めのユーザ操作に応じてメモリ１２内に登録された録画予約データに基づいて録画開始時刻になったと判断されると、図４における録画制御処理が起動され、まず録画指定された受信チャンネルに従い受信されている放送信号がデジタル放送受信部１８から取り出され（ステップＳ１）、その時点で受信された放送信号が受信番組の画像・音声信号であるか（ステップＳ２）、またはデータ放送信号であるか（ステップＳ５）、またはその他の放送信号であるか判断される（ステップＳ５（Ｎｏ））。
【００３５】
ここで、受信中の番組放送信号が画像・音声信号であると判断された場合には、この受信中番組の画像・音声信号はメモリ１２内の通常録画メモリ１２Ｂにおける画像・音声データメモリ１２b1に順次記録され録画される（ステップＳ２→Ｓ３，Ｓ４→Ｓ１）。
【００３６】
一方、受信中の番組放送信号がデータ放送信号であると判断された場合には、この受信中番組のデータ放送信号はメモリ１２内の通常録画メモリ１２Ｂにおけるデータ放送メモリ１２b2に順次記録される（ステップＳ５→Ｓ６）。
【００３７】
そして、データ放送メモリ１２b2に記録されるデータ放送信号の内容についてＵＲＬが含まれていると判断されると（ステップＳ７）、そのＵＲＬに従って図５におけるＷｅｂ情報取得処理が起動され、録画処理と並列的に実行される（ステップＳＡ）。
【００３８】
図５は、前記デジタル放送受信・記録装置１０による録画制御処理に伴うＷｅｂ情報取得処理を示すフローチャートである。
【００３９】
前記録画処理でのステップＳ７において、現在受信記録されるデータ放送信号の内容についてＵＲＬが含まれていると判断されることで、図５におけるＷｅｂ情報取得処理（ステップＳＡ）が起動されると、まず、前記データ放送信号に含まれたＵＲＬに従いネットワーク処理部１３を介してインターネットＮ上のＷｅｂサイトへ接続され（ステップＡ１）、そのＷｅｂページ情報（ホームページデータ）が取得される（ステップＡ２）。
【００４０】
すると、この受信記録中のデータ放送信号から抽出されたＵＲＬに従い取得されたＷｅｂページ情報（ホームページデータ）は、ＨＴＭＬ形式のデータからＢＭＬ形式のデータへと変換され（ステップＡ３）、通常録画メモリ１２ＢにおけるＷｅｂデータメモリ（ＢＭＬ）１２b3に保存される（ステップＡ４）。
【００４１】
こうして、録画指定番組のデジタル放送信号に含まれる番組画像・音声信号は、通常録画メモリ１２Ｂ内の画像・音声データメモリ１２b1に順次記録され、また、データ放送信号は、同通常録画メモリ１２Ｂ内のデータ放送メモリ１２b2に順次記録され、さらに、データ放送信号に含まれるＵＲＬに従ったＷｅｂページ情報（ホームページデータ）は、ＢＭＬ形式のデータへと変換されて同通常録画メモリ１２Ｂ内のＷｅｂデータメモリ（ＢＭＬ）１２b3に保存される。
【００４２】
図６は、前記デジタル放送受信・記録装置１０による動画再生制御処理を示すフローチャートである。
【００４３】
図７は、前記デジタル放送受信・記録装置１０の動画再生制御処理に伴う録画番組の再生画面を示す図であり、同図（Ａ）は録画番組の画像・音声データからなる動画再生画面Ｇ１上にて重ね合わせ表示されたデータ放送の番組関連情報ウインドウＷを示す図、同図（Ｂ）は前記番組関連情報ウインドウＷのＵＲＬを指定して表示されたブラウザ表示画面Ｇ２を示す図である。
【００４４】
メモリ１２内の通常録画メモリ１２Ｂに録画された所望の放送番組を選択して再生を指示すると、図６における動画再生制御処理が起動され、画像・音声データメモリ１２b1に記録されている前記選択番組の画像・音声データが読み出され、画像処理部１９を介して図７（Ａ）に示すような動画再生画面Ｇ１として表示部２０に画像再生表示されると共に、音声処理部２１を介してスピーカ２２から音声再生出力される（ステップＢ１）。
【００４５】
またこれと共に、データ放送メモリ１２b2に記録されている前記選択番組の関連情報であるデータ放送の内容が読み出され、画像処理部１９を介して前記図７（Ａ）で示した動画再生画面Ｇ１上での番組関連情報ウインドウＷとして表示される（ステップＢ２）。
【００４６】
ここで、入力部１６のユーザ操作に応じて、例えば前記番組関連情報ウインドウＷ内のカーソル（図示せず）が移動され、当該番組関連情報ウインドウＷにて表示されているＵＲＬが指定されると（ステップＢ３）、この指定されたＵＲＬに対応するＷｅｂページ（ホームページ）のデータがＷｅｂデータメモリ１２b3に記録されているか否か判断される（ステップＢ４）。
【００４７】
そして、前記番組関連情報ウインドウＷ上で指定されたＵＲＬに対応するＷｅｂページのデータが記録されている場合にはそのＷｅｂページデータ、つまり前記動画再生画面Ｇ１上で再生表示中の選択番組に関連するホームページのデータがＷｅｂデータメモリ１２b3から読み出され、図７（Ｂ）に示すようなブラウザ表示画面Ｇ２として表示部２０に表示される（ステップＢ５）。
【００４８】
この場合に、ブラウザ表示画面Ｇ２として表示された選択番組に関連するホームページのデータは、当該放送番組の受信録画時点でｗｅｂアクセスして取得されたＷｅｂページ情報なので、受信録画後に当該放送番組のＷｅｂページ情報が抹消されてしまったり更新されてしまったりしていても、当該録画番組の内容に完全に対応したＷｅｂページ情報を表示できるようになる。
【００４９】
この後、入力部１６のユーザ操作に応じて表示画面を戻す指示が為されると（ステップＢ６）、再び前記図７（Ａ）で示したように、動画再生画面Ｇ１による前記選択番組の画像・音声データの再生表示（ステップＢ１）、および番組関連情報ウインドウＷによる同選択番組のデータ放送の内容表示が行われる（ステップＢ２）。
【００５０】
一方、前記ステップＢ４において、番組関連情報ウインドウＷ上にて指定されたＵＲＬに対応するＷｅｂページ（ホームページ）のデータがＷｅｂデータメモリ１２b3に記録されないと判断された場合には、当該指定のＵＲＬに従いネットワーク処理部１３を介してインターネットＮ上のＷｅｂサイトへ接続され、そのＷｅｂページ情報（ホームページデータ）がある場合には、ＨＴＭＬ形式のデータからＢＭＬ形式のデータへと変換されて前記図７（Ｂ）で示したように、ブラウザ表示画面Ｇ２として表示部２０に表示される（ステップＢ４→Ｂ７）。
【００５１】
そしてこの場合にも、入力部１６のユーザ操作に応じて表示画面を戻す指示が為されると（ステップＢ６）、再び前記図７（Ａ）で示したように、動画再生画面Ｇ１による前記選択番組の画像・音声データの再生表示（ステップＢ１）、および番組関連情報ウインドウＷによる同選択番組のデータ放送の内容表示が行われる（ステップＢ２）。
【００５２】
したがって、前記構成のデジタル放送受信・記録装置１０によるＷｅｂ情報取得機能を有する録画および再生制御機能によれば、放送番組を録画する際には、デジタル放送受信部１８により受信されたデジタル放送番組の画像・音声データを画像処理部１９から取得してメモリ１２内の画像・音声データメモリ１２b1に記録するのに伴い、データ放送に含まれるＵＲＬに従ってネットワーク処理部１３から番組関連Ｗｅｂサイトへアクセスしてホームページデータを取得し同メモリ１２内のＷｅｂデータメモリ１２b3に記録するので、放送番組を録画した後に、当該番組関連のホームページが無くなってしまったり、その内容が変わってしまったりした場合でも、録画時点の放送番組に直に対応したホームページデータを確実に記録し保存しておくことができる。
【００５３】
また、前記デジタル放送番組の録画に際し、その番組画像・音声データの記録に伴い、データ放送に含まれるＵＲＬから当該番組関連のホームページデータを取得して記録する場合には、Ｗｅｂブラウザ対応であるＨＴＭＬ形式のホームページデータをデジタル放送ブラウザ対応であるＢＭＬ形式のデータに変換して記録するので、ＨＴＭＬブラウザソフトを搭載する必要なく、デジタルテレビ受信機（１０）が本来有するデジタルデータ放送表示用のＢＭＬブラウザソフトのみにより前記番組関連ホームページを表示でき、リソースの節約が可能になる。
【００５４】
さらに、前記デジタル放送番組の録画に際して放送番組の画像・音声データと共に記録したデータ放送による番組関連情報を、その録画放送番組の再生制御に際しては、当該放送番組の画像・音声データを再生表示する動画再生画面Ｇ１に重ねた番組関連情報ウインドウＷとして表示させ、この番組関連情報ウインドウＷ上にて表示されたＵＲＬを指定操作することで、この再生放送番組の録画に伴い記録されている前記ＵＲＬ対応のホームページデータが読み出されブラウザ表示画面Ｇ２として表示されるので、現時点において、この録画により再生した放送番組のホームページが消滅あるいは内容変更されていても、録画時の放送番組に正しく対応したホームページを表示させて見ることができる。
【００５５】
次に、前記構成のデジタル放送受信・記録装置１０において、デジタル放送番組の録画に際し、その番組画像の画像サイズを例えば携帯電話における小型表示画面にて表示させるための画像サイズに変換して録画する場合の動作について説明する。
【００５６】
図８は、前記デジタル放送受信・記録装置１０による録画済み番組画像データのデータ変換処理を示すフローチャートである。
【００５７】
前記図４における録画制御処理に従いメモリ１２内の通常録画メモリ１２Ｂにユーザ所望のデジタル放送番組の画像・音声データ、データ放送の内容、Ｗｅｂページデータの各データが録画され記録されている状態で、この中の任意の録画放送番組について携帯電話にて表示可能とするために、入力部１６のユーザ操作に応じて、図８におけるデータ変換処理が起動されると、前記通常録画メモリ１２Ｂにて録画されている各放送番組の一覧が録画番組リストとして表示部２０に表示される（ステップＣ１）。
【００５８】
この録画番組リストの表示画面において、入力部１６の操作により携帯電話にて表示させたい番組の項目を指定すると（ステップＣ２）、このユーザ指定された録画番組の画像・音声データが通常録画メモリ１２Ｂから読み出されると共に、そのうちの画像データについてその画像サイズが携帯電話の表示画面サイズに合わせて最適化されるように変換されて携帯用録画メモリ１２Ｃの画像・音声データメモリ１２c1に記録される（ステップＣ３）。
【００５９】
また、これと共に、前記ユーザ指定された録画番組のＷｅｂページ情報についても通常録画メモリ１２Ｂから読み出されると共に、その画像サイズが携帯電話の表示画面サイズに合わせて最適化されるように変換されて携帯用録画メモリ１２ＣのＷｅｂデータメモリ１２c2に記録される（ステップＣ４）。
【００６０】
例えば録画されているデジタル放送番組の画像データがデジタルハイビジョンテレビ受像機に対応させた画像サイズの1980x1080ドットサイズであった場合、携帯電話の表示画面に対応させた画像サイズである320x240ドットサイズに変換される。
【００６１】
こうして、本デジタル放送受信・記録装置１０の携帯用録画メモリ１２Ｃにその画像サイズを変換して記録された任意の録画番組の画像・音声データ、データ放送、Ｗｅｂページデータの各データは、入力部１６のユーザ操作に応じてカードＩＦ部１４から外部のメモリカード１５へと書き込まれ、例えば図１２（Ａ）に示すように、このデジタル放送受信・記録装置１０からメモリカード１５を取り出し、図１２（Ｂ）に示すように、携帯電話４０のカードＩＦ部（図示せず）に装着することで、当該携帯電話４０の小型表示画面４１によっても録画番組を最適な画像サイズにして再生表示できるようになる。
【００６２】
図１２は、前記デジタル放送受信・記録装置１０で受信録画した放送番組データをメモリカード１５に記録し携帯電話４０にて再生表示させる場合の構成を示す外観イメージ図である。図１２（Ａ）のデジタル放送受信・記録装置１０において、１６ａはＯＮ／ＯＦＦキー、１６ｂ，１６ｃは受信チャンネルの選択、ボリューム調整、録画指定、録画予約などを行う各種機能キーである。
【００６３】
なお、デジタル放送受信・記録装置１０において、画像サイズを携帯電話用に変換して携帯用録画メモリ１２Ｃに記録された任意の録画番組の画像・音声データ、データ放送、Ｗｅｂページデータの各データは、カードＩＦ部１４から外部のメモリカード１５に書き込まれて取り出され、携帯電話４０のカードＩＦ部に装着されて当該携帯電話４０の小型表示画面４１にて最適表示する構成としたが、デジタル放送受信・記録装置１０と携帯電話４０との間で高速赤外線通信や無線ＬＡＮなどの通信機能を持たせ、これにより前記携帯電話用に変換された録画番組データを携帯電話４０に転送させて表示させる構成としてもよい。
【００６４】
次に、予め録画予約したデジタル放送番組について、その番組毎の録画処理に際し、ユーザ指定により選択的に携帯電話用のデータ変換処理を行い記録する場合の動作について説明する。
【００６５】
図９は、前記デジタル放送受信・記録装置１０による録画予約処理を示すフローチャートである。
【００６６】
図１０は、前記デジタル放送受信・記録装置１０の録画予約処理に伴う携帯変換ファイル指定画面Ｇ３を示す図である。
【００６７】
入力部１６のユーザ操作に応じて、録画したい放送番組が指定されてメモリ１２内の録画予約メモリに登録されると（ステップＤ１）、図１０（Ａ）に示すように、この録画予約した各放送番組について、その録画処理に伴い携帯電話用のデータ変換を行うか否かをユーザ任意に指定するための携帯変換ファイル指定画面Ｇ３が表示部２０に表示される（ステップＤ２）。
【００６８】
この携帯変換ファイル指定画面Ｇ３において、入力部１６のユーザ操作によりカーソルを移動させて携帯電話用として録画したい放送番組（例えば「２．歌謡紅白ベストテン」）を指定すると、図１０（Ｂ）に示すように、携帯電話用として録画予約されたことを示す携帯マーク（携帯）Ｍが表示され、前記メモリ１２内の録画予約メモリに登録された指定の録画予約番組に対してデータ変換指定フラグが付加される（ステップＤ２）。
【００６９】
図１１は、前記デジタル放送受信・記録装置１０の録画予約処理に伴い各録画予約番組についての録画形式を指定した場合の録画制御処理を示すフローチャートである。
【００７０】
この図１１における録画制御処理は、例えば前記図４における録画制御処理に続いて実施される。
【００７１】
メモリ１２内の録画予約メモリに登録された指定の録画予約番組について、その放送開始時刻となり、前記図４における録画制御処理に従って、デジタル放送受信部１８にて受信された録画対象放送番組の画像・音声データ、データ放送、Ｗｅｂページの各データが通常録画メモリ１２Ｂに記録された状態で（ステップＥ１）、当該予約録画した放送番組について前記録画予約メモリにてデータ変換指定フラグが付加されていると判断された場合には（ステップＥ２）、前記図８におけるデータ変換処理でのステップＣ３，Ｃ４の処理と同様にした携帯電話での表示のための画像データ変換処理が実行される（ステップＥ３）。
【００７２】
つまり、前記ステップＥ１にて予約録画された放送番組の画像・音声データが通常録画メモリ１２Ｂから読み出されると共に、そのうちの画像データについてその画像サイズが携帯電話の表示画面サイズに合わせて最適化されるように変換されて携帯用録画メモリ１２Ｃの画像・音声データメモリ１２c1に記録される。また、これと共に、前記予約録画された放送番組のＷｅｂページ情報についても通常録画メモリ１２Ｂから読み出されると共に、その画像サイズが携帯電話の表示画面サイズに合わせて最適化されるように変換されて携帯用録画メモリ１２ＣのＷｅｂデータメモリ１２c2に記録される。
【００７３】
これにより、予め録画予約するデジタル放送番組について録画形式（例えば携帯電話用）を指定しておけば、その録画予約した番組毎の録画制御処理に際し、選択的に携帯電話用のデータ変換処理を行い携帯用録画メモリ１２Ｃに記録することができ、前述したように、メモリカード１５に書き込んで外部に取り出し携帯電話４０に装着することで、当該携帯電話４０の小型表示画面４１によっても前記予約録画した放送番組を最適な画像サイズにして再生表示できるようになる。
【００７４】
一方、前記ステップＥ２において、予約録画により通常録画メモリ１２Ｂに記録された放送番組につき前記録画予約メモリにてデータ変換指定フラグが付加されてないと判断された場合であっても、その番組タイトルが携帯用録画メモリ１２Ｃに既にデータ変換されて記録されている携帯電話用の録画番組と同じ番組タイトルである特定番組であると判断された場合には（ステップＥ４）、この特定番組として予約録画され通常録画メモリ１２Ｂに記録された放送番組の画像・音声データ、データ放送、Ｗｅｂページ情報の各データについて携帯電話での表示のための画像サイズのデータ変換処理が実行され、携帯用録画メモリ１２Ｃに記録される（ステップＥ３）。
【００７５】
これにより、以前に携帯電話での再生表示用としてデータ変換して録画した放送番組と同じ放送番組については、その録画予約の際に録画形式（携帯電話用）の指定を行っていなくても、特定番組の録画制御処理として携帯電話用のデータ変換処理を施して携帯用録画メモリ１２Ｃに記録することができ、前述したように、メモリカード１５に書き込んで外部に取り出し携帯電話４０に装着することで、当該携帯電話４０の小型表示画面４１によって継続的に見て来た各放送番組を最適な画像サイズにして再生表示できるようになる。
【００７６】
したがって、前記構成のデジタル放送受信・記録装置１０による番組録画およびデータ変換機能によれば、通常録画メモリ１２Ｂに記録された複数のデジタル放送番組の画像・音声データ、データ放送・Ｗｅｂページ情報の各データについて、任意の録画番組を指定してデータ変換を指示すると、各データそれぞれの画像サイズが例えば携帯電話用の表示画面サイズに対応するように変換されて携帯用録画メモリ１２Ｃに記録されるので、任意の録画番組を指定して当該録画番組の表示に係るデータを携帯電話４０での表示に最適なデータサイズに容易に変換することができ、このデータ変換された録画番組のデータを例えばメモリカード１５に書き込み取り出して携帯電話４０に装着し、容易に再生表示させることができる。
【００７７】
また、前記構成のデジタル放送受信・記録装置１０による録画予約を伴う番組録画機能によれば、予め録画予約するデジタル放送番組について録画形式（例えば携帯電話用）を指定すると、その形式指定して予約した番組の録画制御処理において、携帯電話４０での表示のためのデータ変換処理が行われて記録されるので、予め携帯電話４０にて再生表示する放送番組については録画予約での形式指定操作を行うだけで容易に最適な表示データに変換して録画し記録できるようになり、このデータ変換して記録した録画番組のデータを例えばメモリカード１５に書き込み取り出して携帯電話４０に装着し、容易に再生表示させることができる。
【００７８】
さらに、前記録画予約の際に録画形式（携帯電話用）の指定を行わなくても、既に携帯電話４０での再生表示用としてデータ変換されて携帯用録画メモリ１２Ｃに記録されている放送番組と同じ放送番組については、特定番組の録画制御処理として携帯電話用のデータ変換処理を施し携帯用録画メモリ１２Ｃに記録できるので、携帯電話４０の小型表示画面４１によって継続的に見て来た各放送番組を容易に引き続き最適な画像サイズに変換録画して再生表示できるようになる。
【００７９】
なお、前記各実施形態において記載したデジタル放送受信・記録装置１０による各処理の手法、すなわち、図４および図５のフローチャートに示す録画制御処理およびこれに伴うＷｅｂ情報取得処理、図６のフローチャートに示す動画再生制御処理、図８のフローチャートに示す録画済み番組画像データのデータ変換処理、図９のフローチャートに示す録画予約処理、図１１のフローチャートに示す各録画予約番組についての録画形式を指定した場合の録画制御処理等の各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体（１５）に格納して配布することができる。そして、デジタルテレビ放送の受信・記録機能を備えたコンピュータ装置（１０）は、この外部記録媒体（１５）に記憶されたプログラムを読み込み、この読み込んだプログラムによって動作が制御されることにより、前記各実施形態において説明したＷｅｂ情報取得機能を有する録画および再生制御機能、番組録画およびデータ変換機能、録画予約を伴う番組録画機能を実現し、前述した手法による同様の処理を実行することができる。
【００８０】
また、前記各手法を実現するためのプログラムのデータは、プログラムコードの形態として通信ネットワーク（インターネットＮ）上を伝送させることができ、デジタルテレビ放送の受信・記録機能を備えたコンピュータ装置（１０）は、この通信ネットワーク（インターネットＮ）に接続されたコンピュータ端末（プログラムサーバ）から前記のプログラムデータを取り込み、前述したＷｅｂ情報取得機能を有する録画および再生制御機能、番組録画およびデータ変換機能、録画予約を伴う番組録画機能を実現し、前述した手法による同様の処理を実現することもできる。
【００８１】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００８２】
【図１】本発明の実施形態に係るデジタル放送受信・記録装置１０の電子回路の構成を示すブロック図。
【図２】前記デジタル放送受信・記録装置１０のメモリ１２における一部記憶データの内容を示す図。
【図３】前記デジタル放送受信・記録装置１０によるデジタルテレビ放送の受信およびその利用形態を示す図。
【図４】前記デジタル放送受信・記録装置１０による録画制御処理を示すフローチャート。
【図５】前記デジタル放送受信・記録装置１０による録画制御処理に伴うＷｅｂ情報取得処理を示すフローチャート。
【図６】前記デジタル放送受信・記録装置１０による動画再生制御処理を示すフローチャート。
【図７】前記デジタル放送受信・記録装置１０の動画再生制御処理に伴う録画番組の再生画面を示す図であり、同図（Ａ）は録画番組の画像・音声データからなる動画再生画面Ｇ１上にて重ね合わせ表示されたデータ放送の番組関連情報ウインドウＷを示す図、同図（Ｂ）は前記番組関連情報ウインドウＷのＵＲＬを指定して表示されたブラウザ表示画面Ｇ２を示す図。
【図８】前記デジタル放送受信・記録装置１０による録画済み番組画像データのデータ変換処理を示すフローチャート。
【図９】前記デジタル放送受信・記録装置１０による録画予約処理を示すフローチャート。
【図１０】前記デジタル放送受信・記録装置１０の録画予約処理に伴う携帯変換ファイル指定画面Ｇ３を示す図。
【図１１】前記デジタル放送受信・記録装置１０の録画予約処理に伴い各録画予約番組についての録画形式を指定した場合の録画制御処理を示すフローチャート。
【図１２】前記デジタル放送受信・記録装置１０で受信録画した放送番組データをメモリカード１５に記録し携帯電話４０にて再生表示させる場合の構成を示す外観イメージ図。
【符号の説明】
【００８３】
１０  …デジタル放送受信・記録装置
１１  …制御部（ＣＰＵ）
１２  …メモリ
１２Ａ…プログラムメモリ
１２Ｂ…通常録画メモリ
１２Ｃ…携帯用録画メモリ
１３  …ネットワーク処理部
１４  …カードＩＦ部
１５  …メモリカード
１６  …入力部
１６ａ…ＯＮ／ＯＦＦキー
１６ｂ，１６ｃ…各種機能キー
１７  …デジタル放送アンテナ
１８  …デジタル放送受信部
１９  …画像処理部
２０  …表示部
２１  …音声処理部
２２  …スピーカ
３１  …デジタルテレビ放送局
３２  …電波塔
３３  …映像・音声信号
３４  …データ放送信号
３５  …Ｗｅｂサーバ
４０  …携帯電話
４１  …小型表示画面
Ｎ  …通信ネットワーク
Ｇ１…動画再生画面
Ｇ２…ブラウザ表示画面
Ｇ３…携帯変換ファイル指定画面
Ｗ  …番組関連情報ウインドウ
Ｍ  …携帯マーク（携帯）
【図１】
2006135428.tif 000003
【図２】
2006135428.tif 000004
【図３】
2006135428.tif 000005
【図４】
2006135428.tif 000006
【図５】
2006135428.tif 000007
【図６】
2006135428.tif 000008
【図７】
2006135428.tif 000009
【図８】
2006135428.tif 000010
【図９】
2006135428.tif 000011
【図１０】
2006135428.tif 000012
【図１１】
2006135428.tif 000013
【図１２】
2006135428.tif 000014